(57)【特許請求の範囲】
【請求項１】
複数の縦桟と横桟を使用し、いずれか一方の桟の上面又は下面に他方の桟が当接固定され、全体を枠状とした上下一対のパレット主体を形成し、
所要の間隔を存して配置される上下一対のパレット主体間の、少なくとも４隅と長手方向および短手方向における任意の位置に配されるブロック体によって、上下一対のパレット主体が一体的に連結固定されるとともに、四周の任意の箇所にリフトを挿入するためのリフト挿入部が形成され、
前記上部のパレット主体の、短手側の両端部に、それぞれ所要の厚みと長さを有する補強板を、上部のパレット主体を形成する縦桟および横桟のいずれに対しても固着したことを特徴とする木製パレット。
【請求項２】
前記上下一対のパレット主体は、
いずれも長手方向に配される縦桟の下面が、短手方向に配させる横桟の上面に当接固定され、前記補強板が、前記横桟の端面に沿って固着されるとともに、その一部が前記縦桟の端面にも固着されていること
を特徴とする請求項１に記載の木製パレット。
【請求項３】
前記上下一対のパレット主体は、
上部に位置するパレット主体の上面に、包装体の底面が固着されていること
を特徴とする請求項１又は２に記載の木製パレット。
【請求項４】
前記包装体は、
互いに相対するいずれか一方の各側面が、上部のパレット主体に付設された補強板と当接していること
を特徴とする請求項３に記載の木製パレット。
【発明の詳細な説明】
【技術分野】
【０００１】
この発明は、梱包された各種製品を、自動車などの車輌などに積み込み、積み下ろしする際に、あるいはある地点から他の地点に搬送するため使用される木製パレット、特に、包装体が大型でありながら、比較的軽量な製品に好適に使用される木製パレットに関するものである。
【背景技術】
【０００２】
各種の製品を搬入，搬送するために使用されるパレットの素材としては、使用後の廃棄処理の簡便性から、ダンボールや木が多く使用されている。
なかでも、木製のパレットは、製作が容易であるとともに、パレットの構成素材を他に転用することも可能であるため、その利用頻度がきわめて高いものである。
【０００３】
この木製のパレットの多くは、平面視が矩形状で、前後及び／又は左右方向からフォークリフトのフォークを差し込むことが可能なように形成されている。
しかしながら、使用されるフォークリフトのフォークは、常に包装されたあるいは未包装の各種製品（以下、積層物という。）を積載したパレットに対し、フォークが適切であるとは限らない。
【０００４】
たとえば、積載物が自動車用バンパーなどのように、包装体が大型でありながら、内容物が比較的軽量である場合、包装体に適合する大きさのパレットを使用しても、特に、長手方向においてパレットに差し込んだフォークが、パレットの中央部近傍までしか届かなかった場合は、木製のパレットは、長手方向側の先端部が下方に下がり、撓みが生ずる。
その結果、パレット上の積載物が荷崩れを起し易く、パレットに多くの積載物を搭載することができないなど実用上多くの課題が残されている。
【０００５】
そこで、例えば、実開昭６０−１６７７３５号公報（特許文献１）においては、荷役用パレットが提案されている。
この荷役用パレットは、主な部材に段ボールを使用したもので、筒体を脚としてそれに支持した段ボール製のデッキに、フォークリフトの爪差入れ方向に対して直角方向に走る段ボール製の縦壁のリブを形成したものである。
【０００６】
この特許文献１の荷役用パレットは、段ボールとしての特殊性から、フォークリフトの爪を差し入れる空洞部を設ける関係で、特にフォークリフトの爪方向に対し直交する方向（以下、「爪直交方向」とする。）の可屈曲強度に信頼性がおけなく、フォークリフトで荷物を持ち上げると、デッキの上記爪直交方向両端が下がるため、荷物の支持が不安定となるという欠点を解消するものである。
【先行技術文献】
【特許文献】
【０００７】
【特許文献１】実開昭６０−１６７７３５号公報（実用新案登録請求の範囲，考案の詳細な説明第１１〜第１８行目）
【発明の概要】
【発明が解決しようとする課題】
【０００８】
特許文献１に記載の荷役用パレットは、縦方向に対する圧縮強度が大きい紙管を、短く切断して得た筒体を、座脚として使用するとともに、適宜配置された各座脚の上面に設けた段ボール製の上部デッキ上に、さらに前記上部デッキよりも肉厚の補助デッキを積層したもので、この補助デッキの相対する端部を上方に折り曲げて縦壁となるリブを一体的に構成したものである。
しかしながら、この荷役用パレットは、多くの接着工程を必要とするなど、製作工程を増やし費用対効果の観点からは必ずしも優位とは言い得ない。
【０００９】
また、特許文献１に開示されたリブは、上部側のデッキの撓みが防止されると述べる一方で、単に折り曲げた起立壁のリブでは、倒れて機能を果たし得なくなるおそれがあるから、何らかの手段で倒れないようにしておくことが望ましいとし、第５図では、リブを形成するための屈折箇所にあらかじめ塑性変形が容易な薄い金属板を接着する手段が開示されている。
【００１０】
また、第６図には、リブが形成される屈折箇所の内角に、三角片を接着することが開示されているが、リブそのものが段ボールで形成されているため、きわめて軽量な積層物であれば対応可能であるが、自動車用バンパーなどのように包装体が大型であるものについては使用上強度の点で問題がある。
【００１１】
この発明はかかる現状に鑑み、パレットの大きさに適合する積載物であっても、使用するフォークリフトのフォークの長さ不足によって生じる撓みを、最小限度の構成で解消することができるとともに、コストを抑えてパレットの品質を保持させることができ、パレットの変形を抑えることで、梱包全体の強度を安定させる木製パレットを提供せんとするものである。
【課題を解決するための手段】
【００１２】
前記目的を達成するため、この発明の請求項１に記載の発明は、
複数の縦桟と横桟を使用し、いずれか一方の桟の上面又は下面に他方の桟が当接固定され、全体を枠状とした上下一対のパレット主体を形成し、
所要の間隔を存して配置される上下一対のパレット主体間の、少なくとも４隅と長手方向および短手方向における任意の位置に配されるブロック体によって、上下一対のパレット主体が一体的に連結固定されるとともに、四周の任意の箇所にリフトを挿入するためのリフト挿入部が形成され、
前記上部のパレット主体の、短手側の両端部に、それぞれ所要の厚みと長さを有する補強板を、上部のパレット主体を形成する縦桟および横桟のいずれに対しても固着したこと
を特徴とする木製パレットである。
【００１３】
また、この発明の請求項２に記載の発明は、
請求項１に記載の木製パレットにおいて、
前記上下一対のパレット主体は、
いずれも長手方向に配される縦桟の下面が、短手方向に配させる横桟の上面に当接固定され、前記補強板が、前記横桟の端面に沿って固着されるとともに、その一部が前記縦桟の端面にも固着されていること
を特徴とするものである。
【００１４】
また、この発明の請求項３に記載の発明は、
請求項１又は２に記載の木製パレットにおいて、
前記上下一対のパレット主体は、
上部に位置するパレット主体の上面に、包装体、好ましくは段ボール製の包装体の底面が固着されていること
を特徴とするものである。
【００１５】
また、この発明の請求項４に記載の発明は、
請求項３に記載の木製パレットにおいて、
前記包装体は、
互いに相対するいずれか一方の各側面が、上部のパレット主体に付設された補強板と当接していること
を特徴とするものである。
【発明の効果】
【００１６】
この発明にかかる木製パレットは、上下一対のパレット主体と、前記パレット主体間に介装され、両者を相互に一体化させ、かつ四周にフォークリフトのリフトを挿入するためのリフト挿入部を形成するブロック体からなるとともに、上部のパレット主体の、短手側の側縁に沿って補強板を、上部のパレット主体を構成する縦桟と横桟に固定したので、この補強板によって、木製パレットの強度を大幅に向上させることができる。
【００１７】
特に、この発明においては、上部のパレット主体の、短手側の側縁に沿って補強板を設けるに際し、補強板が、上部側のパレット主体を構成する縦桟と横桟に固定されているので、木製パレットに作用する荷重が、補強板を介してパレット全体に分散されるので、使用するフォークリフトのリフトを、長手方向から差込み、その先端がパレットの中央部近傍にしか届かない場合であっても、木製パレットの先端部側が撓んで変形することを防止することができる。
【００１８】
また、前記補強板は、上部側のパレット主体を構成する縦桟と横桟に固定されているので、補強板を補強するための補強を必要とすることがないので、最小限度の材料でパレットの変形を抑えることができ、パレットの製作コストを抑えることができる。
【００１９】
さらに、前記構成の木製パレットに、段ボール製の包装体を一体化させて得られるコンテナは、当該コンテナの相対する側面の、いずれか一方側の側面をそれぞれ補強板の内側に当接させることによって、包装体自体の強度が向上し、その上部に同様のコンテナを積層しても安定した状態を確保させることができる。
【図面の簡単な説明】
【００２０】
【図１】この発明にかかる木製パレットの一例を示す斜視図である。
【図２】図１に示す木製パレットの要部の拡大図である。
【図３】図１に示す木製パレットの平面図である。
【図４】図１に示す木製パレット上に包装体を取付けたコンテナの側面図である。
【図５】図４に示すコンテナを積層した状態を示す側面図である。
【発明を実施するための形態】
【００２１】
以下、この発明にかかる木製パレットを添付の図面に基づいて具体的に説明するが、この発明は図示の実施例にのみ限定されるものではなく、その要旨を変更しない範囲内において種々変更を加えることができるものである。
【００２２】
この発明にかかる木製パレット１は、図１に示すように、平面視が矩形状の上下一対のパレット主体２，３と、これら一対のパレット主体２，３を所定の間隔を存して上下方向において一体的に連結するブロック体４と、上部のパレット主体２の、奥行き（短手）方向の両端部に設けられる補強板５，５から構成されるもので、各部材はいずれも木製である。
【００２３】
前記上下一対のパレット主体２及び３は、幅方向（長手）に所定の間隔を存して並行に配置される、所要の幅と長さとを有する板状体からなる複数の縦桟２ａ（３ａ）と、この縦桟２ａ（３ａ）上に直交させて、奥行き（長さ）方向に所定の間隔を存して並行に配置される、所要の幅と長さとを有する板状体からなる複数の横桟２ｂ（３ｂ）とによって、平面視が矩形状となるよう構成されている。
なお、用途によっては、前記パレット主体２，３は必ずしも矩形状である必要はなく、方形であってもよい。
【００２４】
この上下一対のパレット主体２及び３は、各パレット主体２と３の、各コーナー部および幅方向ならびに奥行き方向における所要の箇所に配置されるブロック体４によって、相互に連結されるとともに、フォークリフトのリフト（図示せず）を差し込むためのリフト挿入部Ａが短手方向側に形成される。
このリフト挿入部Ａは、四周のいずれの位置にあってもよいので、ブロック体４の配置場所については、４隅のコーナー部以外は、強度の観点とリフト挿入部Ａの形成の観点から取付け位置が決定される。
【００２５】
前記縦桟２ａ（３ａ）と横桟２ｂ（３ｂ）やブロック体４の大きさについては、特段の制限はないが、その使用目的と費用対効果の観点から自ずと定められるものである。
この実施例においては、縦桟２ａ（３ａ）と横桟２ｂ（３ｂ）は幅が約８０ｍｍ、厚さが約１２ｍｍ、縦桟２ａ（３ａ）の長さは約２２００ｍｍ、横桟横桟２ｂ（３ｂ）は約１４５０ｍｍに設定されている。
また、ブロック体４は、約５５×５５×５５ｍｍの立方体からなるもので、各部材に使用する木材については、特段の制限はない。
なお、この発明においては、上下一対のパレット主体２及び３とは、上下のパレット主体２，３を構成する縦桟２ａ（３ａ）と、横桟２ｂ（３ｂ）の数が同数であることを意味するものではなく、上下に配置されるパレット主体２，３の大きさが同形のものを意味するものである。
【００２６】
前記補強板５は、前記縦桟２ａ（３ａ）と同様の大きさを有するもので、上部のパレット主体２の、奥行き方向の両端部（図１の左右の端部）に取付けられるものである。
前記上部のパレット主体２の端部への取付けは、図２に示すように、補強板５の下部を縦桟２ａの端面にのみ固定するものではなく、この縦桟２ａと直交する横桟２ｂの端面にも固定するものである。
なお、図中Ｐは、固定部を示す。
【００２７】
この補強板５の上部のパレット主体２への固定は、所要の長さと太さとを有する釘又はねじで行うことによって、特に、前記縦桟２ａと直交する横桟２ｂにも固定することによって、パレット主体２のみならず、木製パレット１自体の強度を格段に向上させることができるものである。
なお、補強板５の上部のパレット主体２への固定は、公知の取付け金具などを使用することによって、さらに強度を向上させることが可能である。
【００２８】
かかる構成からなる木製パレット１は、少なくとも短手（奥行き）側の両端部に、補強板５が、上部のパレット主体２を構成する縦桟２ａと横桟２ｂのいずれにも釘などによって連結固定されている。
したがって、強度が大幅に向上し、木製パレット１の奥行き方向からフォークを差込んで、その先端部が木製パレット１の幅方向の中央部近傍にしか届かない場合であっても、リフト挿入部Ａ側と反対の先端部が下方に撓むことがなく、木製パレットに搭載した積層品が荷崩れするおそれも解消される。
【００２９】
図４は、前記構成の木製パレット１上、すなわち、上部のパレット主体２の上面に、釘などの固定部材を用いて段ボール製の包装体６を一体的に付設した木製コンテナ７を示すものである。
前記包装体６のパレット主体２への固着は、包装体６の底面部を内側から釘などを用いて行うものである。
また、前記包装体６は、いずれかにおいて相対する各側壁が、少なくとも前記補強板５，５の内側と当接する大きさとするものである。
かかる木製コンテナ７は、前記木製パレット１自体が奏する効果に加え、何らかの負荷が作用しても、前記包装体６がパレット主体２上を移動するおそれがない。
【００３０】
また、前記包装体６内に積層物が収容されても、その荷重は、包装体６と接する補強板５，５及び包装体６と上部のパレット２との固着点を介してパレット主体２，３に掛かり、分散されるので、不必要に荷重が１箇所に集中することがない、など実用上多大の作用効果を奏するものである。
なお、図５は、前記コンテナ７を三段に積層した状態を示すものである。
【符号の説明】
【００３１】
１            木製パレット
２，３        パレット主体
２ａ（３ａ）  縦桟
２ｂ（３ｂ）  横桟
４            ブロック体
５            補強板
６            包装体
７            コンテナ
Ａ            リフト挿入部
Ｐ            固定部
【図１】
0005605774.tif 000002
【図２】
0005605774.tif 000003
【図３】
0005605774.tif 000004
【図４】
0005605774.tif 000005
【図５】
0005605774.tif 000006